(57)【要約】【課題】部品点数の削減と組付性の改善を図ることができる回転型電気部品を提供すること。【解決手段】固定軸２とその外周に回転可能に嵌合する回転軸３を備えた回転型電気部品１において、前記固定軸２の軸方向一端に形成されたフック２ｃを前記回転軸３の内周に形成された凸状のフック受け３ａに係止させることによって固定軸２と回転軸３を軸方向に連結する。又、前記固定軸２の軸方向一端に軸方向スリットによって撓曲可能な脚部２ｂを周方向に複数形成し、各脚部２ｂの先端に前記フック２ｃを形成する。更に、コイルバネ（付勢手段）１０によって径方向内方に付勢されたクリックボール（クリック部材）９を前記回転軸３の外周に形成された複数の凹部に選択的に係合させることによって回転軸３の回転にクリック感を付与するクリック機構を設ける。【選択図】図１
2010212102.tif 000002
【特許請求の範囲】
【請求項１】
固定軸とその外周に回転可能に嵌合する回転軸を備えた回転型電気部品において、
前記固定軸の軸方向一端に形成されたフックを前記回転軸の内周に形成された凸状のフック受けに係止させることによって固定軸と回転軸を軸方向に連結したことを特徴とする回転型電気部品。
【請求項２】
前記固定軸の軸方向一端に軸方向スリットによって撓曲可能な脚部を周方向に複数形成し、各脚部の先端に前記フックを形成したことを特徴とする請求項１記載の回転型電気部品。
【請求項３】
付勢手段によって径方向内方に付勢されたクリック部材を前記回転軸の外周に形成された複数の凹部に選択的に係合させることによって回転軸の回転にクリック感を付与するクリック機構を設けたことを特徴とする請求項１又は２記載の回転型電気部品。
【発明の詳細な説明】
【技術分野】
【０００１】
本発明は、固定軸とその外周に回転可能に嵌合する回転軸を備えた回転型電気部品に関するものである。
【背景技術】
【０００２】
回転型電気部品は、電子機器等の各種制御に使用されるが、その一例を図７に示す（例えば、特許文献１，２参照）。
【０００３】
即ち、図７は従来の回転型電気部品の側断面図であり、図示の回転型電気部品１０１は、樹脂にて円筒状に一体成形された固定軸１０２と、該固定軸１０２の外周に回転可能に嵌合された円筒状の回転軸１０３とを板金製の取付部材１１１によって軸方向に連結して構成されており、固定軸１０２の端面には基板１０５が固定されている。そして、固定軸１０２の鍔部１０２Ａには接点金属基板１１２がインサート成形によって固定されており、この接点金属基板１１２には、回転軸１０３の鍔部１０３Ａにインサート成形によって固定された接点金属ブラシ１１３が当接している。
【０００４】
而して、操作者が不図示のノブによって回転軸１０３を回転操作すると、該回転軸１０３に固定された接点金属ブラシ１１３が固定軸１０２に固定された接点金属基板１１２上を摺動するため、回転軸１０３の回転角度に応じた信号が基板１０５に実装された制御回路に出力されて電気機器等が制御される。尚、回転軸１０３の回転にはクリック板バネ１１４によってクリック感が付与される。
【先行技術文献】
【特許文献】
【０００５】
【特許文献１】特開２００６−０１２７０１号公報
【特許文献２】特開２００７−３１１６４４号公報
【発明の概要】
【発明が解決しようとする課題】
【０００６】
しかしながら、図７に示した従来の回転型電気部品１０１においては、固定軸１０２と回転軸１０３とを板金製の取付部材１１１によって軸方向に連結する構成が採用されているため、部品点数が増えるとともに、固定軸１０２と回転軸１０３との組み付けが容易でなく、多大な時間と工数を要するという問題がある。
【０００７】
本発明は上記問題に鑑みてなされたもので、その目的とする処は、部品点数の削減と組付性の改善を図ることができる回転型電気部品を提供することにある。
【課題を解決するための手段】
【０００８】
上記目的を達成するため、請求項１記載の発明は、固定軸とその外周に回転可能に嵌合する回転軸を備えた回転型電気部品において、前記固定軸の軸方向一端に形成されたフックを前記回転軸の内周に形成された凸状のフック受けに係止させることによって固定軸と回転軸を軸方向に連結したことを特徴とする。
【０００９】
請求項２記載の発明は、請求項１記載の発明において、前記固定軸の軸方向一端に軸方向スリットによって撓曲可能な脚部を周方向に複数形成し、各脚部の先端に前記フックを形成したことを特徴とする。
【００１０】
請求項３記載の発明は、請求項１又は２記載の発明において、付勢手段によって径方向内方に付勢されたクリック部材を前記回転軸の外周に形成された複数の凹部に選択的に係合させることによって回転軸の回転にクリック感を付与するクリック機構を設けたことを特徴とする。
【発明の効果】
【００１１】
請求項１記載の発明によれば、固定軸を回転軸の内部に挿入して押し込むだけで、該固定軸に形成されたフックが回転軸の内周に形成された凸状のフック受けに係止されて固定軸と回転軸が軸方向に連結されるため、従来要していた板金製の取付部材が不要となって部品点数の削減が図られるとともに、固定軸と回転軸との組み付けがワンタッチで容易になされて組付性が高められる。
【００１２】
請求項２記載の発明によれば、固定軸の軸方向一端に軸方向スリットによって撓曲可能な脚部を周方向に複数形成し、各脚部の先端にフックを形成したため、該フックが撓み易くなり、固定軸を回転軸の内部に挿入して押し込むと、フックがフック受けに係合して容易にフック受けを乗り越え、該フックがフック受けを通過すると脚部が弾性によって元の状態に復帰し、その先端に形成されたフックがフック受けに係止されるために固定軸と回転軸が軸方向に確実に連結される。
【００１３】
請求項３記載の発明によれば、クリック機構によって回転軸の回転にクリック感が付与されるため、操作者による回転軸の回転操作感が高められる。
【図面の簡単な説明】
【００１４】
【図１】本発明に係る回転型電気部品の側断面図である。
【図２】本発明に係る回転型電気部品の固定軸と回転軸の側面図である。
【図３】本発明に係る回転型電気部品の固定軸と回転軸の側断面図である。
【図４】本発明に係る回転型電気部品の回転軸の正面図（図２の矢視Ａ方向の図）である。
【図５】本発明に係る回転型電気部品の固定軸の正面図（図２の矢視Ｂ方向の図）である。
【図６】（ａ），（ｂ）は本発明に係る回転型電気部品の固定軸と回転軸との連結要領を示す図である。
【図７】従来の回転型電気部品の側断面図である。
【発明を実施するための形態】
【００１５】
以下に本発明の実施の形態を添付図面に基づいて説明する。
【００１６】
図１は本発明に係る回転型電気部品の側断面図、図２は同回転型電気部品の固定軸と回転軸の側面図、図３は固定軸と回転軸の側断面図、図４は回転軸の正面図（図２の矢視Ａ方向の図）、図５は固定軸の正面図（図２の矢視Ｂ方向の図）、図６（ａ），（ｂ）は固定軸と回転軸との連結要領を示す図である。
【００１７】
図１に示す回転型電気部品１はロータリスイッチであって、絶縁性の高い樹脂にて円筒状に一体成形された固定軸２と、該固定軸２の外周に回転可能に嵌合された円筒状の樹脂製の回転軸３とを軸方向に連結し、これらの固定軸２と回転軸３を樹脂製の本体ケース４に収容して構成されている。
【００１８】
そして、固定軸２の軸方向一端に形成された鍔部２Ａには複数（本実施の形態では２つ）の係合爪２ａが一体に突設されており、固定軸２の鍔部２Ａの端面には基板５が固定軸２の係合爪２ａによる係合によって取り付けられており、この基板５にはディテクタスイッチ６が取り付けられている。又、回転軸３の端部外周には樹脂製のノブ７が嵌着されている。
【００１９】
ここで、上記固定軸２と回転軸３の構成の詳細を図２〜図５に基づいて説明する。
【００２０】
固定軸２の先端部（図１〜図３において左方を前方とする）外周には、周方向に離間して平行に形成された軸方向スリット８によって４つの撓曲可能な脚部２ｂが等角度ピッチ（９０°ピッチ）で周方向に形成されており（図５参照）、各脚部２ｂの先端には突起状のフック２ｃがそれぞれ一体に形成されている。
【００２１】
他方、回転軸３の前端側内周には凸状のフック受け３ａが全周に亘って一体に形成されており、該回転軸３の後端部外周に形成された鍔部３Ａの外周には半円状の複数の凹部３ｂが形成されている。そして、回転軸３の鍔部３Ａの前端面には４つの円弧状リブ３ｃが周方向に等角度ピッチ（９０°ピッチ）で一体に突設されており（図４参照）、これらの円弧状リブ３ｃは、図１に示すように、前記本体ケース４に形成された円弧状凹部４ａに嵌合しており、これによって回転軸３の引き抜き方向の保持が本体ケース４によってなされている。又、回転軸３の鍔部３Ａの後端面には複数（１９個）の突起３ｄが周方向に等角度ピッチで一体に突設されている。
【００２２】
更に、軸方向において回転軸３の鍔部３Ａの外周位置には、クリックボール９が本体ケース４に径方向（図１の上下方向）に沿って摺動可能に保持されている。このクリックボール９は、これと本体ケース４間に縮装されたコイルバネ１０によって径方向内方（図２の下方）に付勢され、回転軸３の鍔部３Ａ外周に形成された凹部３ｂの１つに係合しており、凹部３ｂと共にクリック機構を構成している。
【００２３】
次に、固定軸２と回転軸３の軸方向の連結要領を図６（ａ），（ｂ）に従って以下に説明する。
【００２４】
固定軸２と回転軸３を軸方向に連結するには、図６（ａ）に示すように、固定軸２をそのフック２ｃが設けられた側（先端側）を先にして回転軸３の内部に挿入して図示矢印方向に押し込む。すると、図６（ｂ）に示すように、固定軸２の先端部に周方向に形成された４つのフック２ｃが回転軸３の内周に形成されたフック受け３ａに係合してこれを乗り越えるが、前述のようにフック２ｃは固定軸２の先端部に軸方向スリット８によって形成された撓曲可能な脚部２ｂの先端に形成されているため、脚部２ｂと共に容易に撓み変形する。このようにフック２ｃが撓み易くなる結果、固定軸２を回転軸３の内部に挿入して押し込むと、フック２ｃがフック受け３ａに係合して容易に該フック受け３ａを乗り越え、該フック２ｃがフック受３ａけを通過すると脚部２ｂが弾性によって元の状態に復帰するため、その先端に形成されたフック２ｃが図１に示すようにフック受け３ａに係止され、これによって固定軸２と回転軸３が軸方向に確実に連結される。
【００２５】
以上のように構成された図１に示す回転型電気部品１において、操作者がノブ７を操作して回転軸３を回転させると、該回転軸３の鍔部３Ａの後端面に突設された突起３ｄがディテクタスイッチ６に作用するため、その信号が基板５に実装された制御回路に出力されて不図示の電気機器等が制御される。この場合、ノブ７及び回転軸３の回転にはクリック機構によってクリック感が付与されるため、操作者による回転軸３の回転操作感が高められる。
【００２６】
而して、本発明に係る回転型電気部品１においては、固定軸２を回転軸３の内部に挿入して押し込むだけで、該固定軸２に形成されたフック２ｃが回転軸３の内周に形成された凸状のフック受け３ａに係止されて固定軸２と回転軸３が軸方向に連結されるため、従来要していた板金製の取付部材が不要となって部品点数の削減が図られるとともに、固定軸２と回転軸３との組み付けがワンタッチで容易になされて組付性が高められる。
【００２７】
尚、以上は本発明をロータリスイッチに対して適用した形態について説明したが、本発明は、電子機器等の各種制御に使用される他の任意の回転型電気部品に対しても同様に適用可能であることは勿論である。
【符号の説明】
【００２８】
１      回転型電気部品
２      固定軸
２Ａ    固定軸の鍔部
２ａ    固定軸の係合爪
２ｂ    固定軸の脚部
２ｃ    固定軸のフック
３      回転軸
３Ａ    回転軸の鍔部
３ａ    回転軸のフック受け
３ｂ    回転軸の凹部
３ｃ    回転軸の円弧状リブ
３ｄ    回転軸の突起
４      本体ケース
４ａ    本体ケースの円弧状凹部
５      基板
６      ディテクタスイッチ
７      ノブ
８      軸方向スリット
９      クリックボール（クリック部材）
１０    コイルバネ（付勢手段）
【図１】
2010212102.tif 000003
【図２】
2010212102.tif 000004
【図３】
2010212102.tif 000005
【図４】
2010212102.tif 000006
【図５】
2010212102.tif 000007
【図６】
2010212102.tif 000008
【図７】
2010212102.tif 000009